(57)【要約】【課題】瞬間式の熱交換器を用いた衛生洗浄装置において、洗浄水を使用開始まで保温する場合、洗浄水の急激な温度上昇による温度検出手段の応答遅れによって、洗浄水の温度が過剰に加熱され、高温の洗浄水が人体局部に吐出される恐れがあった。【解決手段】衛生洗浄装置を取り巻く周囲環境条件を検出する環境条件検出手段４を有し、一旦前記電気ヒータへの通電を行う予備加熱動作を行った後、環境条件検出手段４が検出した条件に基づいて電気ヒータにパルス通電を行うことで、温度検出手段の応答遅れによる、洗浄水の過昇温を生じることなく洗浄水をで保温することができる。【選択図】　図１
2004143747.tif 000002
【特許請求の範囲】
【請求項１】
洗浄水の給水手段と、洗浄水を電気ヒータにより加熱する瞬間式の熱交換器と、洗浄水を吐出する洗浄ノズルとを有する衛生洗浄装置であって、前記衛生洗浄装置を取り巻く周囲環境条件を検出する環境条件検出手段と、制御手段とを設け、前記制御手段は、前記熱交換器への通水を行うと共に一旦前記電気ヒータへの通電を行う予備加熱動作を行った後、前記環境条件検出手段が検出した条件に基づいて前記電気ヒータにパルス通電を行うことで、洗浄水の温度を略一定に保温する衛生洗浄装置。
【請求項２】
制御手段は、環境条件検出手段が検出した条件からパルス通電による洗浄水の保温が必要ないと判断した場合は、電気ヒータへのパルス通電を行わない請求項１に記載の衛生洗浄装置。
【請求項３】
環境条件検出手段は、熱交換器に供給される洗浄水の温度を検出する洗浄水温検出手段である請求項１または２に記載の衛生洗浄装置。
【請求項４】
環境条件検出手段は、衛生洗浄装置近傍の気温を検出する気温検出手段である請求項１または２に記載の衛生洗浄装置。
【請求項５】
室内を暖房する部屋暖房装置を設け、制御手段は、気温検出手段が検出した温度に基づいて前記部屋暖房装置を制御する請求項４記載の衛生洗浄装置。
【請求項６】
環境条件検出手段は、衛生洗浄装置を使用する際の時刻を検出する時刻検出手段である請求項１または２に記載の衛生洗浄装置。
【請求項７】
環境条件検出手段は、衛生洗浄装置を使用する際の季節を検出する季節検出手段である請求項１または２に記載の衛生洗浄装置。
【請求項８】
制御手段は、環境条件検出手段が検出した条件に基づいて、パルス通電の通電時間を設定する請求項１から７のいずれか１項に記載の衛生洗浄装置。
【請求項９】
制御手段は、環境条件検出手段が検出した条件に基づいて、パルス通電の通電間隔を設定する請求項１から７のいずれか１項に記載の衛生洗浄装置。
【請求項１０】
制御手段は、環境条件検出手段が検出した条件に基づいて、パルス通電の通電量を設定する請求項１から７のいずれか１項に記載の衛生洗浄装置。
【発明の詳細な説明】
【０００１】
【発明の属する技術分野】
この発明は、衛生洗浄便座等、特に使用する時だけ洗浄水を加熱する瞬間式の熱交換器を備えた衛生洗浄装置に関するものである。
【０００２】
【従来の技術】
従来の使用する時だけ洗浄水を加熱する瞬間式の熱交換器は、洗浄開始直後から温水が得られるよう、予備加熱動作の後、熱交換器内部に滞留する洗浄水の水温または熱交換器の周囲環境の温度を検出して、検出された値が所定温度Ｔａ以上のときはヒータへの通電を停止し、Ｔａよりも低い所定温度Ｔｂ以下の時は通電を行うといった制御を繰り返すことで、熱交換器内部に滞留する洗浄水の温度を略一定に保ち、洗浄開始直後から所望温度の洗浄水を使用するものである（例えば、特許文献１参照）。
【０００３】
【特許文献１】
特開２０００−２０４６３７公報
【０００４】
【発明が解決しようとする課題】
上記従来の発明において、熱交換器によって加熱される洗浄水の温度を一定に保つために、熱交換器によって加熱された洗浄水が所定温度以上の時はヒータへの通電を停止する制御を行っているが、瞬間式の熱交換器は昇温速度に優れた１ｋｗ以上の電気ヒータを用いるのが一般的であり、また、更に少しでも昇温速度を速くするため、熱交換器そのものの熱容量も小さく構成されている。そのため、通電時には急激な温度上昇が生じるが、一方では、例えばサーミスタのような一般的な温度検出手段は秒オーダーの応答遅れがあるという性質があり、温度検出手段からの温度信号によって制御していたのでは、オーバーシュートが押えきれず、高温の湯が吐出されてしまうという問題があった。特に、省エネ・節水のために洗浄水の供給を停止した状態で加熱を行う場合、温度上昇がより急激に起こってしまうだけでなく、数秒で熱交換器内部の洗浄水が局部沸騰し始めるので、ヒータの割れなど熱交換器を破壊する恐れがあった。
【０００５】
また、夏場など気温や水温が高い場合には、保温動作が不要であるため、無駄なエネルギーを消費してしまう。さらに、気温や水温が低い場合と比較し、洗浄水の温度が過度に上昇しやすいため、前述したオーバーシュートや局部沸騰の問題が起こる危険性が高くなる。
【０００６】
本発明は、上記課題を解決するもので、瞬間式の衛生洗浄装置において、電気ヒータにパルス状すなわち短時間の通電を繰り返し行い洗浄水を保温する際に、パルス通電を気温や水温など周囲環境条件に基づいた設定で行うことで、様々な条件下において、過度の温度上昇を防ぎ、洗浄水の温度を略一定に保温することを目的としている。
【０００７】
【課題を解決するための手段】
上記従来の課題を解決するために、本発明の衛生洗浄装置は、衛生洗浄装置を取り巻く周囲環境条件を検出する環境条件検出手段を有し、制御手段は、熱交換器への通水を行うと共に一旦電気ヒータへの通電を行う予備加熱動作を行った後、環境条件検出手段が検出した条件に基づいて電気ヒータにパルス通電を行うことで、洗浄水の温度を略一定に保温するものである。
【０００８】
そして、保温動作であるパルス通電を行う前に、気温や水温など周囲環境条件に基づいてパルス通電の設定を行うため、温度検出手段の応答遅れによる、洗浄水の過昇温や局部沸騰という問題が生じない。また、様々な条件下においても洗浄水温の温度変動を少なくし、ほぼ一定の水温で保温することができる。さらに、夏場など気温や水温が高く、洗浄水を保温する必要がないことを環境条件検出手段が検出した際には、パルス通電を行わないことで省エネを図ることができる。
【０００９】
【発明の実施の形態】
請求項１記載の衛生洗浄装置は、洗浄水の給水手段と、洗浄水を電気ヒータにより加熱する瞬間式の熱交換器と、洗浄水を吐出する洗浄ノズルとを有する衛生洗浄装置であって、前記衛生洗浄装置を取り巻く周囲環境条件を検出する環境条件検出手段と、制御手段とを設け、前記制御手段は、前記熱交換器への通水を行うと共に一旦前記電気ヒータへの通電を行う予備加熱動作を行った後、前記環境条件検出手段が検出した条件に基づいて前記電気ヒータにパルス通電を行うことで、洗浄水の温度を略一定に保温するものである。
【００１０】
請求項１記載の衛生洗浄装置によれば、保温動作であるパルス通電を行う前に、気温や水温など周囲環境条件に基づいてパルス通電の設定を行うため、温度検出手段の応答遅れによる、洗浄水の過昇温や局部沸騰という問題が生じない。また、様々な条件下においても洗浄水温の温度変動を少なくし、ほぼ一定の水温で保温することができる。
【００１１】
請求項２記載の衛生洗浄装置は、請求項１に記載の発明において、制御手段は、環境条件検出手段が検出した条件からパルス通電による洗浄水の保温が必要ないと判断した場合は、電気ヒータへのパルス通電を行わないものである。
【００１２】
請求項２記載の衛生洗浄装置によれば、請求項１と同様な効果のほか、夏場など気温や水温が高く、洗浄水を保温する必要がないことを環境条件検出手段が検出した際には、パルス通電による洗浄水の保温を行わないことで省エネを図ることができる。
【００１３】
請求項３記載の衛生洗浄装置は、請求項１〜２に記載の発明において、環境条件検出手段は、熱交換器に供給される洗浄水の温度を検出する洗浄水温検出手段である。
【００１４】
請求項３記載の衛生洗浄装置によれば、請求項１または請求項２と同様な効果のほか、熱交換器に供給される洗浄水の温度に基づいて、パルス通電の設定を行うことで、洗浄水のオーバーシュートによる問題を防ぐことができる。また、熱交換器に供給される洗浄水の温度が高い場合は、洗浄水を保温する必要がないと判断できるので、パルス通電による洗浄水の保温を行わないことで省エネを図ることができる。
【００１５】
請求項４記載の衛生洗浄装置は、請求項１〜２に記載の発明において、環境条件検出手段は、衛生洗浄装置近傍の気温を検出する気温検出手段である。
【００１６】
請求項４記載の衛生洗浄装置によれば、請求項１または請求項２と同様な効果のほか、衛生洗浄装置近傍の気温に基づいて、パルス通電の設定を行うことで、洗浄水の過昇温や局部沸騰による問題を防ぐことができる。また、衛生洗浄装置近傍の気温が高い場合は、洗浄水を保温する必要がないと判断できるので、パルス通電による洗浄水の保温を行わないことで省エネを図ることができる。
【００１７】
請求項５記載の衛生洗浄装置は、請求項４に記載の衛生洗浄装置において、室内を暖房する部屋暖房装置を設け、気温検出手段が検出した温度に基づいて、前記部屋暖房装置を制御するものである。
【００１８】
請求項５記載の衛生洗浄装置によれば、請求項４と同様な効果のほか、部屋暖房装置を制御するための気温検出手段を別に設ける必要がないため、省スペースや低コスト化を図ることができる。
【００１９】
請求項６記載の衛生洗浄装置は、請求項１〜２に記載の発明において、環境条件検出手段は、衛生洗浄装置を使用する際の時刻を検出する時刻検出手段である。
【００２０】
請求項６記載の衛生洗浄装置によれば、請求項１または請求項２と同様な効果のほか、衛生洗浄装置を使用する際の時刻に基づいて、パルス通電の設定を行うことで、洗浄水の過昇温や局部沸騰による問題を防ぐことができる。また、昼間など気温や水温が高い場合は、洗浄水を保温する必要がないと判断できるので、パルス通電による洗浄水の保温を行わないことで省エネを図ることができる。
【００２１】
請求項７記載の衛生洗浄装置は、請求項１〜２に記載の発明において、環境条件検出手段は、衛生洗浄装置を使用する際の季節を検出する季節検出手段である。
【００２２】
請求項７記載の衛生洗浄装置によれば、請求項１または請求項２と同様な効果のほか、衛生洗浄装置を使用する際の季節に基づいて、パルス通電の設定を行うことで、洗浄水の過昇温や局部沸騰による問題を防ぐことができる。また、夏場など気温や水温が高い場合は、洗浄水を保温する必要がないと判断できるので、パルス通電による洗浄水の保温を行わないことで省エネを図ることができる。
【００２３】
請求項８記載の衛生洗浄装置は、請求項１〜７に記載の発明において、制御手段は、環境条件検出手段が検出した条件に基づいて、パルス通電の通電時間を設定するものである。
請求項８記載の衛生洗浄装置によれば、請求項１、請求項２、請求項３、請求項４、請求項５、請求項６または請求項７と同様な効果のほか、パルス通電の１回当たりの通電を行う時間を変更することにより、様々な条件下において洗浄水の温度をほぼ一定に保つことができる。
【００２４】
請求項９記載の衛生洗浄装置は、請求項１〜７に記載の発明において、制御手段は、環境条件検出手段が検出した条件に基づいて、パルス通電の通電間隔を設定するものである。
【００２５】
請求項９記載の衛生洗浄装置によれば、請求項１、請求項２、請求項３、請求項４、請求項５、請求項６または請求項７と同様な効果のほか、パルス通電を行う間隔を変更することにより、様々な条件下において洗浄水の温度をほぼ一定に保つことができる。
【００２６】
請求項１０記載の衛生洗浄装置は、請求項１〜７に記載の発明において、制御手段は、環境条件検出手段が検出した条件に基づいて、パルス通電の通電量を設定するものである。
【００２７】
請求項１０記載の衛生洗浄装置によれば、請求項１、請求項２、請求項３、請求項４、請求項５、請求項６または請求項７と同様な効果のほか、パルス通電の通電量変更することにより、様々な条件下において洗浄水の温度をほぼ一定に保つことができる。
【００２８】
【実施例】
（実施例１）
この発明の第１の実施の形態を図１から図３により説明する。
【００２９】
図１は本発明の実施例を示す人体洗浄装置の概略構成図である。洗浄水を供給する給水路１は給水手段としての止水電磁弁２、流量センサー３および洗浄水の温度を検出する洗浄水温検出手段４を経て、熱交換器５へと接続される。この入水温検出手段４が環境条件検知手段である。
【００３０】
図２は熱交換器５の一部断面図を表す。熱交換器５は内部に加熱流路６を備えるとともに、加熱手段である電気ヒータ７が加熱流路６に接して設けてある。なお、加熱流路６の電気ヒータ７と接する面は、電気ヒータ７からの熱が効率よく加熱流路６内の洗浄水へ伝達するように熱伝導に優れた材料、本実施例では銅板で形成し、さらには加熱流路６は電気ヒータ７との接触面積を拡大するため、複数の屈曲点を有する波形の形状としてある。これらことにより、洗浄に使用する量を所望温度にして保持する貯湯タンクを必要としないため、装置の小型化を図ることができると共に、湯切れがなく、かつ省エネルギーを図ることができる。なお本実施例においては、電気ヒータ７は熱密度に優れた板状のセラミックヒータを用いたが、シーズヒータ、マイカヒータ、プリントヒータ等、様々な応用が考えられる。
【００３１】
そして、熱交換器５の下流側には洗浄水温検出手段（サーミスタ）８が設けられている。出湯温度検出手段８のさらに下流には流量調節弁９を介して水圧駆動方式のノズルユニット（洗浄ノズル）１０と排水路１１が接続されている。流量調節弁９は、洗浄水の流量を調節するほかに、ノズルユニット１０と、排水路１１への通水を切りかえる流路切り換え弁としての働きも持つ。なお、排水路１１は、排水路１１への通水によって、ノズルユニット１０を洗い流せる位置に設けられている。なお、流量調節弁９にはモータ１２が固設されており、モータ１２によって回転駆動される構成となっている。
【００３２】
図３はノズルユニット１０の詳細図であり、本実施例では、構造の簡素化と低コスト化を図るために、モータなどの駆動手段を必要としない水圧駆動方式を用いている。ノズルシリンダ１３は、可動ノズル１４の移動方向に段部１５を有し、可動ノズル１４はノズルシリンダ１３内を所定位置に移動して段部１５に密着するシール部１６を有している。また内部流路１７はノズルシリンダ１３内を通してノズルシリンダ１３の端部に形成した給水口１８に連通するように可動ノズル１４の後端１９に開口を形成している。またノズルシリンダ１３内の可動ノズル突出側端部と可動ノズル１４の後端部間で可動ノズル１４に外嵌したコイルばねを用いた弾性部材２０を介在して可動ノズル１４を後退位置である給水口１８に接近する方向に付勢している。
【００３３】
図３の状態で給水口１８よりノズルシリンダ１３内に給水されるとき、内部流路１７より噴出口２１から流出すると同時に、水圧が低いときは可動ノズル１４の外周面とノズルシリンダ１３の内周面との間に形成されたクリアランス２２、２３を通して矢印のように水が流れ出し、可動ノズル１４の周面に沿って先端に流れ、可動ノズル１４は進出しない。そして、給水口１８から送られてくる給水圧が高いときはノズルシリンダ１３内の可動ノズル１４の後端部の水圧が弾性部材２０の弾性よりも大きくなり、水圧で可動ノズル１４を弾性部材２０の弾性に抗して押動して可動ノズル１４をノズルシリンダ１３より押し出し、段部２０にシール部１６が密着する。この結果、シール部１６により給水口１８からクリアランス２２側に流れるのを防止する。そのため、内部流路１７を通して噴出口２１のみから噴出することとなる。このようにして、水圧により後退位置から洗浄位置まで可動ノズル１４が進出されるように構成されている。
【００３４】
そして、洗浄を終了させるために給水手段である止水電磁弁２を閉じることにより、ノズルシリンダ１３内の圧力が低下し、弾性部材２０の弾性によって稼動ノズル２０が洗浄位置から後退位置に収納される。
【００３５】
また、制御手段２４は流量センサー３、出湯温度検出手段８および使用者の着座を便座（図示せず）への荷重により検出する人体検出手段（図示せず）からそれぞれの信号を読み込み、また、止水電磁弁２、電気ヒータ７、流量調節弁９に固設したモータ１２等を電気的な信号によって制御する。なお、本実施例では、人体検出手段は着座による荷重により本衛生洗浄装置の使用を検知する構成としたが、光センサなどを用いて人体の接近を検知する構成にしても良い。そして、制御手段２４は入力手段としての洗浄スイッチや停止スイッチおよび流量可変スイッチ等を備えたリモコン（図示せず）と赤外線を利用して信号のやり取りを行っており、使用者からの指示はリモコンに設けた複数の入力スイッチによってなされる。
【００３６】
上記構成において、本実施例の動作を図４および図５を用いて説明する。
【００３７】
まず、使用者が便座（図示せず）に着座すると着座による荷重を人体検出手段（図示せず）が検出し、制御手段２４に信号を送る。制御手段２４では、人体検出手段からの信号に応じて、給水手段である止水電磁弁２を開放させ、電気ヒータ７に通電を行う予備加熱動作を行う。この際、流量調節弁９により、ノズルユニット１０への給水量を少なくすることで、ノズルシリンダ１３内の圧力を低水圧のまま流すことができるため、ノズルが進出することがない。そして、出湯温度検出手段８が所定温度Ｔ０を検出すると、制御手段２４は止水電磁弁２を閉止させ、電気ヒータ７への通電を停止させる。この予備加熱動作により、電気ヒータによって加熱された洗浄水が洗浄ノズルまで流れるため、熱交換器から洗浄ノズルまでの流路に滞留する洗浄水を所定温度に加熱された洗浄水と入れかえることができる。
【００３８】
そして、この予備加熱動作の際に、洗浄水温検出手段４（環境条件検出手段）を通過する洗浄水の温度に基づいて、後述のパルス通電の設定を行うものである。すなわち、図４のように洗浄水の温度（Ｔｗ）が高い場合は通電間隔（ｔｏｆｆ）を長くし、逆に図５のように洗浄水の温度（Ｔｗ）が低い場合は通電間隔（ｔｏｆｆ）を短くするものである。これにより、様々な環境条件に対応したパルス通電の設定を行うことができるため、洗浄水の過昇温を防止したり、保温時の温度変動を少なくしたりすることができる。なお、本実施例では、パルス通電時のヒータへの通電量Ｑをヒータの通電の最大通電量Ｑｍａｘに設定することで、ヒータへの通電を単純なｏｎ−ｏｆｆ制御で行っているが、洗浄水温検出手段４で検出された値に基づいてパルス通電時のヒータへの通電量Ｑを設定する構成にしても良い。また、通電時間（ｔｏｎ）を洗浄水温検出手段４で検出された値に基づいて設定する制御にしてもよい。これら場合でも洗浄水温検出手段４が検出した値に応じて通電間隔（ｔｏｆｆ）を設定した場合と同様の効果を得ることができる。
【００３９】
次に、制御手段２４は電気ヒータ７にパルス状すなわち短時間の通電を繰り返し行い、予備加熱動作によって加熱された洗浄水の保温を行う。なお、予備加熱動作により、洗浄水は所定温度まで加熱されているので、制御手段２４は、パルス通電により洗浄水を保温するだけですむので、制御が単純化される。また、短時間の通電を繰り返し行うことにより、オーバーシュートを防止して洗浄水の保温を行うことができるので、温度検出手段の応答遅れによって人体局部に高温の洗浄水が吐出されることを防止することができるとともに、洗浄水の局部沸騰による熱交換器の破壊を防ぐことができる。さらに、夏場など熱交換器に供給される洗浄水の水温（Ｔｗ）が高い場合は、洗浄水を保温する必要がないので、パルス通電による洗浄水の保温を行わないことで省エネを図ることができる。
【００４０】
ここで、パルス通電を行う際は、止水電磁弁２を閉止させ、熱交換器５に洗浄水を供給しないことで、予備加熱動作およびパルス通電により加熱された洗浄水を捨てることがなく、また、電気ヒータ７が新たに供給された洗浄水により冷やされることがないため効率的に洗浄水の保温を行うことができる。
【００４１】
以上のようなパルス通電を行うことで、簡単な制御で使用者が洗浄を行う前に、電気ヒータ７と熱交換器５内部に滞留する洗浄水を所定温度に加熱しておくことができるので、洗浄開始直後から電気ヒータ７と熱交換器５内部に供給された洗浄水との熱交換を十分に行うことができ、更に、熱交換器５内に滞留する洗浄水も加熱されているため、洗浄開始直後から所望の温度の洗浄水を十分に使用できる。また、予備加熱動作やパルス通電を、人体検知手段により使用者が着座した時のみ行う構成にすることにより、人体を検出していない間は電気ヒータ７への通電を行わないため、無駄な加熱を行わないことで、省エネルギーを図ることができる。
【００４２】
そして、使用者がリモコン（図示せず）に設けた洗浄スイッチを押すことにより、止水電磁弁２が開放され、給水路１から洗浄水が供給される。供給された洗浄水は流量センサー３を経て、熱交換器５内の加熱流路６へと流入する。このとき、制御手段２４は使用者からの洗浄開始信号の入力に連動して電気ヒータ７の通電を開始する。そして、電気ヒータ７に通電が開始されると、加熱流路６を流れる洗浄水は電気ヒータ７からの熱を吸収し次第に加熱される。ここで、本実施例では、使用者が洗浄を行う前に制御手段２４が電気ヒータ７にパルス通電を行うことで、電気ヒータ７と加熱流路６内に滞留する洗浄水を所定温度に保温しておく構成にしている。そのため、寒冷地など気温が低い地域で利用しても、洗浄開始直後から所望の温度の洗浄水を十分に使用できる。
【００４３】
そして、加熱流路６を経た洗浄水は、制御手段２４が流量調節弁１５を排水路１１側に所定時間切り替えることで、排水路１１から排水される。排水路１１はノズルユニット１０を洗い流せる位置に設けられているため、洗浄を開始する前にノズルユニット１０を洗い流すことで、使用者は快適に衛生洗浄装置を使用できる。また、通水初期時から電気ヒータ７で所定の温度に加熱された洗浄水が十分な水量で使用できるので、洗浄効果が高い。
【００４４】
そして、制御手段２４が流量調節弁９をノズルユニット１０側に切り替えることで、可動ノズル１４が洗浄位置まで進出し、人体局部への洗浄が開始される。ここで、本実施例の構成では、洗浄初期時から所望の温度の洗浄水が十分な流量で使用することができるので、ノズルの進出をスムーズに行うことができる。さらに、洗浄初期時から所望の温度の洗浄水が噴出口２１から吐出されるため、寒冷地などで使用しても、人体局部に冷たい水が当ることがないので、使用者が不快感を感じることがない。
【００４５】
洗浄中は、熱交換器５によって加熱された洗浄水が、出湯温度検出手段８へ至ることで洗浄水の温度が検出され、信号は制御手段２４へとフィードバックされる。制御手段２４はフィードバックされた値とリモコンから入力された設定温度を比較演算することで、電気ヒータ７の通電量を可変し、使用者にとって最適温度の洗浄水を供給するわけである。そして、さらに洗浄水は流量調節弁９に至り、ここで、リモコンに設けた流量可変スイッチにて指示された流量に見合うようその流量が絞られる。ここで温度、流量ともに設定どおりとなった洗浄水が人体局部に吐出される。
【００４６】
（実施例２）
本発明の第２の実施の形態を図６を用いて説明する。なお、実施例１の衛生洗浄装置と同一構造のものは同一符号を付与し、説明を省略する。
【００４７】
図６において、実施例１の構成と異なるところは、環境条件検出手段として、衛生洗浄装置近傍の気温を検出する気温検出手段３１を有すること、および、衛生洗浄装置が設置されるトイレ室内の暖房を行うためのファン３２および暖房ヒータ３３を有する部屋暖房装置３４を備えた点である。
【００４８】
そして、予備加熱動作を行う際に、環境条件検出手段である気温検出手段３１がトイレ室内の気温を検出し、その値に基づいてパルス通電の通電時間、通電間隔または通電量の少なくとも１つの設定を行うことにより、様々な環境条件下でも、洗浄水の過昇温を防止したり、保温時の温度変動を少なくしたりすることができる。さらに、夏場などトイレ室内の気温が高い場合は、洗浄水を保温する必要がないので、パルス通電による洗浄水の保温を行わないことで省エネを図ることができる。
【００４９】
また、制御手段２４が、気温検出手段３１が検出した値に基づいて部屋暖房装置３４を制御することにより、部屋暖房装置３４を制御するための気温検出手段を別に設ける必要がないため、省スペースや低コスト化を図ることができる。
【００５０】
（実施例３）
本発明の第３の実施の形態を図７を用いて説明する。なお、実施例１の衛生洗浄装置と同一構造のものは同一符号を付与し、説明を省略する。
【００５１】
図７において、実施例１の構成と異なるところは、環境条件検出手段として、季節検出手段４１および時刻検出手段４２を備えたタイマー４３を有する点である。
【００５２】
そして、環境条件検出手段であるタイマー４３は、予備加熱動作を行う際の季節と時刻を季節検出手段４１および時刻検出手段４２から検出し、その値に基づいてパルス通電の通電時間、通電間隔または通電量の少なくとも１つの設定を行うことにより、様々な環境条件下でも、洗浄水の過昇温を防止したり、保温時の温度変動を少なくしたりすることができる。さらに、夏場や昼間など水温や気温が高い場合は、洗浄水を保温する必要がないので、パルス通電による洗浄水の保温を行わないことで省エネを図ることができる。
【００５３】
【発明の効果】
以上のように本発明によれば、瞬間式の熱交換器において、衛生洗浄装置を取り巻く周囲環境条件を検出し、検出された値に基づいた設定でパルス通電を行うことにより、過度の温度上昇を起こさずに洗浄水の保温を行うことができるので、温度検出手段の応答遅れによる洗浄水の過昇温や局部沸騰による熱交換器の破壊が生じることがない。また、様々な条件環境条件に応じたパルス通電の設定を行うので、洗浄水温の温度変動を少なくし、略一定の水温で保温することができる。
【図面の簡単な説明】
【図１】本発明の実施例１における衛生洗浄装置の概略構成図
【図２】同洗浄装置の熱交換器（加熱手段）を表す一部断面図
【図３】同洗浄装置のノズルユニットの詳細図
【図４】同洗浄装置の制御を示すタイミングチャート
【図５】同洗浄装置の制御を示すタイミングチャート
【図６】本発明の実施例２における衛生洗浄装置の概略構成図
【図７】本発明の実施例３における衛生洗浄装置の概略構成図
【符号の説明】
２　給水手段（止水電磁弁）
４　洗浄水温検出手段（環境条件検出手段）
５　熱交換器
７　電気ヒータ
１０　洗浄ノズル（ノズルユニット）
２４　制御手段
３１　気温検出手段（環境条件検出手段）
３４　部屋暖房装置
４１　季節検出手段（環境条件検出手段）
４２　時刻検出手段（環境条件検出手段）
【図１】
2004143747.tif 000003
【図２】
2004143747.tif 000004
【図３】
2004143747.tif 000005
【図４】
2004143747.tif 000006
【図５】
2004143747.tif 000007
【図６】
2004143747.tif 000008
【図７】
2004143747.tif 000009